(57)【特許請求の範囲】
【請求項１】
複数のストリームに共通のパケットから構成される共通パケット系列と、前記複数のストリームのそれぞれに固有のパケットから構成されるデータパケット系列とを変調することで得られるOFDM（Orthogonal Frequency Division Multiplexing）信号を受信する受信手段と、
受信した前記OFDM信号を復調して得られる前記共通パケット系列と前記データパケット系列のパケットを蓄積するバッファと、
同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、
保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段と
を備える受信装置。
【請求項２】
前記共通パケット系列と前記データパケット系列は、DVB-T.2におけるM-PLP（Multiple PLP（Physical Layer Pipe））方式により複数のストリームから生成された、Common PLPとData PLPである
請求項１に記載の受信装置。
【請求項３】
前記補正情報に含まれるアドレスは、前記特定のパケットに付加されている、前記パケットの読み出しのタイミングを示しているTTO（Time to Output）によって同期しているCommon PLPとData PLPを前記バッファに書き込んだときのそれぞれのアドレスであり、
前記差分情報は、TTOによって同期しているCommon PLPとData PLPの前記特定のパケットのそれぞれに付加されたTTOの差分値である
請求項２に記載の受信装置。
【請求項４】
前記差分値は、TTOの差分に対応したパケット数である
請求項３に記載の受信装置。
【請求項５】
バッファを備える受信装置の受信方法において、
複数のストリームに共通のパケットから構成される共通パケット系列と、前記複数のストリームのそれぞれに固有のパケットから構成されるデータパケット系列とを変調することで得られるOFDM信号を受信し、
前記バッファに蓄積された、同期している共通パケット系列とデータパケット系列のパケットをそれぞれ前記バッファに書き込んだときのアドレスと、それらのパケット系列のパケットの読み出し時刻の差を示す差分情報を含む補正情報の保持を制御し、
保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する
ステップを含む受信方法。
【請求項６】
バッファを備える機器に実行させるプログラムであって、
複数のストリームに共通のパケットから構成される共通パケット系列と、前記複数のストリームのそれぞれに固有のパケットから構成されるデータパケット系列とを変調することで得られるOFDM信号を受信し、
前記バッファに蓄積された、同期している共通パケット系列とデータパケット系列のパケットをそれぞれ前記バッファに書き込んだときのアドレスと、それらのパケット系列のパケットの読み出し時刻の差を示す差分情報を含む補正情報の保持を制御し、
保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する
ステップを含むプログラム。
【請求項７】
伝送路を介して、複数のストリームに共通のパケットから構成される共通パケット系列と、前記複数のストリームのそれぞれに固有のパケットから構成されるデータパケット系列とを変調することで得られるOFDM信号を取得する取得手段と、
前記伝送路を介して取得した前記信号に対して、パケット系列の復号処理を少なくとも含む伝送路復号処理を施す伝送路復号処理部と
を備え、
前記伝送路復号処理部は、
前記伝送路を介して取得した前記OFDM信号を復調して得られる前記共通パケット系列と前記データパケット系列のパケットを蓄積するバッファと、
同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、
保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段と
を備える受信システム。
【請求項８】
伝送路を介して取得した、複数のストリームに共通のパケットから構成される共通パケット系列と、前記複数のストリームのそれぞれに固有のパケットから構成されるデータパケット系列とを変調することで得られるOFDM信号に対して、パケット系列の復号処理を少なくとも含む伝送路復号処理を施す伝送路復号処理部と、
前記伝送路復号処理が施された信号に対して、圧縮された情報を元に情報を伸張する処理を少なくとも含む情報源復号処理を施す情報源復号処理部と
を備え、
前記伝送路復号処理部は、
前記伝送路を介して取得した前記OFDM信号を復調して得られる前記共通パケット系列と前記データパケット系列のパケットを蓄積するバッファと、
同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、
保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段と
を備える受信システム。
【請求項９】
伝送路を介して取得した、複数のストリームに共通のパケットから構成される共通パケット系列と、前記複数のストリームのそれぞれに固有のパケットから構成されるデータパケット系列とを変調することで得られるOFDM信号に対して、パケット系列の復号処理を少なくとも含む伝送路復号処理を施す伝送路復号処理部と、
前記伝送路復号処理が施された信号に基づいて、画像又は音声を出力する出力部と
を備え、
前記伝送路復号処理部は、
前記伝送路を介して取得した前記OFDM信号を復調して得られる前記共通パケット系列と前記データパケット系列のパケットを蓄積するバッファと、
同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、
保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段と
を備える受信システム。
【請求項１０】
伝送路を介して取得した、複数のストリームに共通のパケットから構成される共通パケット系列と、前記複数のストリームのそれぞれに固有のパケットから構成されるデータパケット系列とを変調することで得られるOFDM信号に対して、パケット系列の復号処理を少なくとも含む伝送路復号処理を施す伝送路復号処理部と、
前記伝送路復号処理が施された信号を記録する記録部と
を備え、
前記伝送路復号処理部は、
前記伝送路を介して取得した前記OFDM信号を復調して得られる前記共通パケット系列と前記データパケット系列のパケットを蓄積するバッファと、
同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、
保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段と
を備える受信システム。
【発明の詳細な説明】
【技術分野】
【０００１】
本発明は、受信装置及び方法、プログラム、並びに受信システムに関し、特に、迅速に再同期を行うことができるようにした受信装置及び方法、プログラム、並びに受信システムに関する。
【背景技術】
【０００２】
近年、デジタル信号を伝送する方式として、直交周波数分割多重（OFDM：Orthogonal Frequency Division Multiplexing）方式と呼ばれる変調方式が用いられている。このOFDM方式は、伝送帯域内に多数の直交するサブキャリアを用意し、それぞれのサブキャリアの振幅及び位相にデータを割り当て、PSK（Phase Shift Keying）やQAM（Quadrature Amplitude Modulation）によりデジタル変調する方式である。
【０００３】
OFDM方式は、マルチパスの妨害の影響を強く受ける地上波デジタル放送に適用されることが多い。このようなOFDM方式を採用した地上波デジタル放送としては、例えば、DVB-T（Digital Video Broadcasting-Terrestrial）やISDB-T（Integrated Services Digital Broadcasting-Terrestrial）等の規格がある。
【０００４】
ところで、ETSI(European Telecommunication Standard Institute：欧州電気通信標準化機構)により、次世代の地上デジタル放送の規格としてDVB(Digital Video Broadcasting)-T.2が制定中である（非特許文献１参照）。
【先行技術文献】
【特許文献】
【０００５】
【非特許文献１】"Frame structure channel coding and modulation for a second generation digital terrestrial television broadcasting system (DVB-T2)", DVB Document A122 June 2008
【発明の概要】
【発明が解決しようとする課題】
【０００６】
DVB-T.2においては、M-PLP（Multiple PLP（Physical Layer Pipe））と呼ばれる方式が用いられている。このM-PLP方式では、複数のトランスポートストリーム（Transport Stream：以下、TSという）から、共通のパケットを抜き出したCommon PLPと呼ばれるパケット系列と、共通のパケットが抜き出されたData PLPと呼ばれるパケット系列によって、データが伝送される。換言すれば、Common PLPは、複数のTSに共通のパケットから構成され、Data PLPは、複数のTSのそれぞれに固有のパケットから構成されるとも言える。そして、受信側では、Common PLPとData PLPから１つのTSを復元することになる。
【０００７】
TSを復元する場合、受信側では、Common PLPとData PLPの同期をとる必要があるが、Common PLPとData PLPの同期がとられて、定常状態に入った後、受信チャネル環境などが要因となり誤った信号が受信されると、Common PLPとData PLPの同期が外れてしまう場合があった。この場合、Common PLPとData PLPの再同期が迅速に行われることが要求される。
【０００８】
本発明はこのような状況に鑑みてなされたものであり、Common PLPとData PLPなどの異なるパケット系列の同期が外れた場合において、迅速に再同期を行うことができるようにするものである。
【課題を解決するための手段】
【０００９】
本発明の第１の側面の受信装置は、複数のストリームに共通のパケットから構成される共通パケット系列と、前記複数のストリームのそれぞれに固有のパケットから構成されるデータパケット系列とを変調することで得られるOFDM（Orthogonal Frequency Division Multiplexing）信号を受信する受信手段と、受信した前記OFDM信号を復調して得られる前記共通パケット系列と前記データパケット系列のパケットを蓄積するバッファと、同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段とを備える。
【００１１】
前記共通パケット系列と前記データパケット系列は、DVB-T.2におけるM-PLP（Multiple PLP（Physical Layer Pipe））方式により複数のストリームから生成された、Common PLPとData PLPである。
【００１２】
前記補正情報に含まれるアドレスは、前記特定のパケットに付加されている、前記パケットの読み出しのタイミングを示しているTTO（Time to Output）によって同期しているCommon PLPとData PLPを前記バッファに書き込んだときのそれぞれのアドレスであり、前記差分情報は、TTOによって同期しているCommon PLPとData PLPの前記特定のパケットのそれぞれに付加されたTTOの差分値である。
【００１３】
前記差分値は、TTOの差分に対応したパケット数である。
【００１４】
本発明の第１の側面の受信方法は、バッファを備える受信装置の受信方法において、複数のストリームに共通のパケットから構成される共通パケット系列と、前記複数のストリームのそれぞれに固有のパケットから構成されるデータパケット系列とを変調することで得られるOFDM信号を受信し、前記バッファに蓄積された、同期している共通パケット系列とデータパケット系列のパケットをそれぞれ前記バッファに書き込んだときのアドレスと、それらのパケット系列のパケットの読み出し時刻の差を示す差分情報を含む補正情報の保持を制御し、保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正するステップを含む。
【００１５】
本発明の第１の側面のプログラムは、バッファを備える機器に実行させるプログラムであって、複数のストリームに共通のパケットから構成される共通パケット系列と、前記複数のストリームのそれぞれに固有のパケットから構成されるデータパケット系列とを変調することで得られるOFDM信号を受信し、前記バッファに蓄積された、同期している共通パケット系列とデータパケット系列のパケットをそれぞれ前記バッファに書き込んだときのアドレスと、それらのパケット系列のパケットの読み出し時刻の差を示す差分情報を含む補正情報の保持を制御し、保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正するステップを含む。
【００１６】
本発明の第１の側面においては、複数のストリームに共通のパケットから構成される共通パケット系列と、複数のストリームのそれぞれに固有のパケットから構成されるデータパケット系列とを変調することで得られるOFDM信号が受信され、同期している共通パケット系列とデータパケット系列のパケットをそれぞれバッファに書き込んだときのアドレスと、それらのパケット系列のパケットの読み出し時刻の差を示す差分情報を含む補正情報が保持され、保持されている補正情報に基づいて、バッファに蓄積されたパケットを読み出すに際して、バッファの一方の読み出しアドレスが、保持している一方のアドレスに到達してから差分情報を経過したときに、バッファの他方の読み出しアドレスが保持している他方のアドレスと一致しない場合、バッファの他方の読み出しアドレスが、保持している他方のアドレスに差し替えられることで、同期のずれが発生しているパケットについて、バッファの読み出しアドレスが補正される。
【００１７】
本発明の第２の側面の受信システムは、伝送路を介して、複数のストリームに共通のパケットから構成される共通パケット系列と、前記複数のストリームのそれぞれに固有のパケットから構成されるデータパケット系列とを変調することで得られるOFDM信号を取得する取得手段と、前記伝送路を介して取得した前記信号に対して、パケット系列の復号処理を少なくとも含む伝送路復号処理を施す伝送路復号処理部とを備え、前記伝送路復号処理部は、前記伝送路を介して取得した前記OFDM信号を復調して得られる前記共通パケット系列と前記データパケット系列のパケットを蓄積するバッファと、同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段とを備える。
【００１８】
本発明の第３の側面の受信システムは、伝送路を介して取得した、複数のストリームに共通のパケットから構成される共通パケット系列と、前記複数のストリームのそれぞれに固有のパケットから構成されるデータパケット系列とを変調することで得られるOFDM信号に対して、パケット系列の復号処理を少なくとも含む伝送路復号処理を施す伝送路復号処理部と、前記伝送路復号処理が施された信号に対して、圧縮された情報を元に情報を伸張する処理を少なくとも含む情報源復号処理を施す情報源復号処理部とを備え、前記伝送路復号処理部は、前記伝送路を介して取得した前記OFDM信号を復調して得られる前記共通パケット系列と前記データパケット系列のパケットを蓄積するバッファと、同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段とを備える。
【００１９】
本発明の第４の側面の受信システムは、伝送路を介して取得した、複数のストリームに共通のパケットから構成される共通パケット系列と、前記複数のストリームのそれぞれに固有のパケットから構成されるデータパケット系列とを変調することで得られるOFDM信号に対して、パケット系列の復号処理を少なくとも含む伝送路復号処理を施す伝送路復号処理部と、前記伝送路復号処理が施された信号に基づいて、画像又は音声を出力する出力部とを備え、前記伝送路復号処理部は、前記伝送路を介して取得した前記OFDM信号を復調して得られる前記共通パケット系列と前記データパケット系列のパケットを蓄積するバッファと、同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段とを備える。
【００２０】
本発明の第５の側面の受信システムは、伝送路を介して取得した、複数のストリームに共通のパケットから構成される共通パケット系列と、前記複数のストリームのそれぞれに固有のパケットから構成されるデータパケット系列とを変調することで得られるOFDM信号に対して、パケット系列の復号処理を少なくとも含む伝送路復号処理を施す伝送路復号処理部と、前記伝送路復号処理が施された信号を記録する記録部とを備え、前記伝送路復号処理部は、前記伝送路を介して取得した前記OFDM信号を復調して得られる前記共通パケット系列と前記データパケット系列のパケットを蓄積するバッファと、同期している共通パケット系列とデータパケット系列のパケットをそれぞれ前記バッファに書き込んだときのアドレスと、それらのパケット系列のパケットの読み出し時刻の差を示す差分情報を含む補正情報を保持する保持手段と、保持している前記補正情報に基づいて、前記バッファに蓄積されたパケットを読み出すに際して、前記バッファの一方の読み出しアドレスが、保持している一方のアドレスに到達してから前記差分情報を経過したときに、前記バッファの他方の読み出しアドレスが保持している他方のアドレスと一致しない場合、前記バッファの他方の読み出しアドレスを、保持している他方のアドレスに差し替えることで、同期のずれが発生しているパケットについて、前記バッファの読み出しアドレスを補正する補正手段とを備える。
【００２１】
本発明の第２の側面ないし第５の側面においては、同期している共通パケット系列とデータパケット系列のパケットをそれぞれバッファに書き込んだときのアドレスと、それらのパケット系列のパケットの読み出し時刻の差を示す差分情報を含む補正情報が保持され、保持されている補正情報に基づいて、バッファに蓄積されたパケットを読み出すに際して、バッファの一方の読み出しアドレスが、保持している一方のアドレスに到達してから差分情報を経過したときに、バッファの他方の読み出しアドレスが保持している他方のアドレスと一致しない場合、バッファの他方の読み出しアドレスが、保持している他方のアドレスに差し替えられることで、同期のずれが発生しているパケットについて、バッファの読み出しアドレスが補正される。
【００２２】
受信装置は、独立した装置であってもよいし、１つの装置を構成している内部のブロックであってもよい。
【００２３】
また、プログラムは、伝送媒体を介して伝送することにより、又は記録媒体に記録して提供することができる。
【発明の効果】
【００２４】
以上のように、本発明によれば、迅速に再同期を行うことができる。
【図面の簡単な説明】
【００２５】
【図１】DVB-T.2においてM-PLP方式を用いた場合における送信機と受信機の構成の概要を示す図である。
【図２】本発明を適用した受信装置の一実施の形態の構成を示す図である。
【図３】出力I/Fの構成例を示す図である。
【図４】送信側のパケットの構成を示す図である。
【図５】送信側のCommon PLPとData PLPの構成を示す図である。
【図６】送信側のNullパケットディレーションモードにおけるCommon PLPとData PLPの構成を示す図である。
【図７】受信側のCommon PLPとData PLPの構成を示す図である。
【図８】受信側のTSの復元方法を説明するための図である。
【図９】受信側のTSの復元方法の詳細を説明するための図である。
【図１０】TSレートの演算方法を説明するための図である。
【図１１】バッファの書き込みと読み出しのタイミングを説明するための図である。
【図１２】TTO情報の保持について説明する図である。
【図１３】TTO情報を用いたアドレスの補正について説明する図である。
【図１４】再同期処理について説明するフローチャートである。
【図１５】本発明を適用した受信システムの第１の実施形態の構成例を示す図である。
【図１６】本発明を適用した受信システムの第２の実施形態の構成例を示す図である。
【図１７】本発明を適用した受信システムの第３の実施形態の構成例を示す図である。
【図１８】コンピュータのハードウェアの構成例を示す図である。
【発明を実施するための形態】
【００２６】
以下、図面を参照しながら本発明の実施の形態について説明する。
【００２７】
［全体の構成の概要］
図１は、DVB-T.2においてM-PLP方式を用いた場合における送信機（Tx）と受信機（Rx）の構成の概要を示す図である。
【００２８】
図１に示すように、送信機側では、複数のTS（図中のTS1ないしTSN）が一定のビットレートで入力された場合、それらのTSを構成するパケットの中から、共通のパケットを抜き出して、Common PLPと呼ばれるパケット系列（図中のTSPSC（CPLP））が生成される。また、共通のパケットが抜き出されたTSは、Data PLPと呼ばれるパケット系列（図中のTSPS1（PLP1）ないしTSPSN（PLPN））になる。
【００２９】
すなわち、送信機側では、Ｎ個のTSから、Ｎ個のData PLPと、１個のCommon PLPが生成される。これにより、各PLPについて適応的に誤り訂正の符号化率や、OFDM等の変調方式を割り当てることができる。なお、本実施の形態において、単にPLPと記述した場合には、Common PLPとData PLPの両方を含むものとする。また、Common PLP，Data PLPと記述した場合には、Common PLP，Data PLPを構成する個々のパケットの意味を含むものとする。
【００３０】
例えば、MPEGのTS（Transport Stream）パケットの場合には、SDT(Service Description Table)やEIT(Event Information Table）等の制御情報のように、複数のData PLPで同じ情報を含んでいるものがあり、そのような共通の情報をCommon PLPとして切り出して伝送することで、伝送効率の低下を回避することができる。
【００３１】
一方、受信機側では、OFDM等の復調方式により、受信した複数のData PLP（図中のTSPS1（PLP1）ないしTSPSN（PLPN））とCommon PLP（図中のTSPSC（CPLP））を復調した後、所望のPLP（図中のTSPS2（PLP2））のみを抜き出して、誤り訂正処理を行うことで、所望のTSを復元することが可能となる。
【００３２】
例えば、図１に示すように、TSPS1（PLP1）ないしTSPSN（PLPN）の中からTSPS2（PLP2）が選択された場合、Data PLPとしてのTSPS2（PLP2）と、Common PLPとしてのTSPSC（CPLP）とを用いて、TS2が復元されることになる。これにより、１つのData PLPとCommon PLPを取り出せば、TSを復元できるので、受信機の動作効率が良くなるといったメリットがある。
【００３３】
そして、受信機側で復元されたTSは、後段のデコーダに出力される。デコーダは、例えば、TSに含まれる符号化データをMPEGデコードし、その結果得られる画像や音声のデータを出力する。
【００３４】
以上のように、DVB-T.2においてM-PLP方式を用いた場合には、送信機（Tx）側では、Ｎ個のTSから、Ｎ個のData PLPと１個のCommon PLPが生成されて伝送され、受信機（Rx）側では、所望のData PLPと１個のCommon PLPから、所望のTSが復元（再生成）される。
【００３５】
［受信装置の構成例］
図２は、本発明を適用した受信装置の一実施の形態の構成を示す図である。
【００３６】
なお、図２において、受信装置１は、図１の受信機（Rx）に相当し、送信装置２は、図１の送信機（Tx）に相当するものである。
【００３７】
図２の受信装置１においては、送信装置２から送信されてくるデジタル放送の信号が受信される。この信号は、次世代の地上デジタル放送の規格として制定中のDVB-T.2で採用されるM-PLP方式により、TSから生成されたPLPに対して、誤り訂正やOFDM変調などの処理を施して得られるOFDM信号となる。
【００３８】
すなわち、例えば放送局などの送信装置２は、伝送路を介して、デジタル放送のOFDM信号を送信している。受信装置１は、送信装置２から送信されてくるOFDM信号を受信し、復調処理や誤り訂正処理などを含む伝送路復号処理を行い、それにより得られた復号データを後段に出力する。
【００３９】
図２の例においては、受信装置１は、アンテナ１１、取得部１２、伝送路復号処理部１３、デコーダ１４、及び出力部１５から構成される。
【００４０】
アンテナ１１は、送信装置２から伝送路を介して送信されてくるOFDM信号を受信し、取得部１２に供給する。
【００４１】
取得部１２は、例えばチューナやセットトップボックス（STB：Set Top Box）等から構成され、アンテナ１１により受信されたOFDM信号（RF信号）をIF(Intermediate Frequency)信号に周波数変換し、伝送路復号処理部１３に供給する。
【００４２】
伝送路復号処理部１３は、取得部１２からのOFDM信号に対して、復調や誤り訂正などの必要な処理を施して得られるPLPからTSを復元して、そのTSをデコーダ１４に供給する。
【００４３】
すなわち、伝送路復号処理部１３は、復調部２１、誤り訂正部２２、及び出力I/F（インターフェース）２３から構成される。
【００４４】
復調部２１は、取得部１２からのOFDM信号の復調処理を行い、その結果得られる復調信号として、所望のData PLPと１個のCommon PLPを誤り訂正部２２に出力する。
【００４５】
誤り訂正部２２は、復調部２１から得られる復調信号であるPLPに対して、所定の誤り訂正処理を施し、その結果得られるPLPを出力I/F２３に出力する。
【００４６】
ここで、送信装置２では、例えば、番組としての画像や音声などのデータが、MPEG（Moving Picture Experts Group）エンコードされ、そのMPEGエンコードデータが含まれるTSパケットで構成されるTSから生成されたPLPが、OFDM信号として送信される。
【００４７】
また、送信装置２では、伝送路上で生じる誤りに対する対策として、PLPが、例えば、RS（Reed Solomon）符号や、LDPC（Low Density Parity Check）符号などの符号に符号化される。したがって、誤り訂正部２２においては、誤り訂正符号処理として、その符号を復号する処理が行われる。
【００４８】
出力I/F２３は、誤り訂正部２２から供給されるPLPからTSを復元し、復元されたTSを、所定の一定レート（以下、TSレートという）で外部に出力する出力処理を行う。なお、出力I/F２３の構成の詳細については、図３を参照して後述する。
【００４９】
デコーダ１４は、出力I/F２３から供給されるTSに含まれる符号化データをMPEGデコードし、その結果得られる画像や音声のデータを、出力部１５に供給する。
【００５０】
出力部１５は、例えば、ディスプレイやスピーカなどで構成され、デコーダ１４から供給される画像や音声のデータに対応して、画像を表示し、音声を出力する。
【００５１】
以上のようにして、受信装置１は構成される。
【００５２】
［出力I/Fの詳細な構成例］
図３は、図２の出力I/F２３の構成例を示している。
【００５３】
図３の例では、出力I/F２３は、TTO同期検出部３０、バッファ３１、書き込み制御部３２、読み出しレート演算部３３、読み出し制御部３４、Nullパケット生成部３５、セレクタ３６、セレクタ３７、及びPLP合成部３８から構成される。
【００５４】
誤り訂正部２２から供給されるPLP（Common PLP，Data PLP）は、TTO同期検出部３０、バッファ３１、及び読み出しレート演算部３３にそれぞれ供給される。
【００５５】
このCommon PLPとData PLPには、DNP（Deleted Null Packet）とISSY（Input Stream Synchronizer）と呼ばれる情報（シグナリング値）がTSパケット単位でそれぞれ付加されている。
【００５６】
ISSYには、ISCR（Input Stream Time Reference）、BUFS（Buffer Size）、又はTTO（Time to Output）などの情報が含まれる。ISCRは、各TSパケットの送信時に、送信装置２側で付加されるタイムスタンプを示す情報である。BUFSは、PLPの所要バッファ量を示す情報である。この情報を参照することで、受信装置１ではバッファ領域を確定することが可能となる。TTOは、TSパケットに対する処理が行われているT2フレーム(T2 frame)に配置されるP1シンボルの先頭から、そのTSパケットを出力するまでの時間を示す情報である。
【００５７】
また、DNPは、後述するNullパケットディレーションモードと呼ばれるモードで動作している場合に付加される情報であって、連続したNullパケットは、その連続数を1バイトの信号として送信される。例えば、受信装置１では、DNP=3である場合、３個のNullパケットが連続しているとして、元のパケット系列を再現することが可能となる。
【００５８】
TTO同期検出部３０は、誤り訂正部２２から供給されるPLPについて、それらのPLPのTSパケットに付加されたTTOの中から、Common PLPとData PLPで同期しているTTOを検出する。
【００５９】
このTTOを用いた同期の方法であるが、例えば、TSパケットに付加されるTTOは、基本的にT2フレームの先頭にのみ配置されるものであって、同期したT2フレームであれば、それらのT2フレーム内のTSパケットに付加されたTTOは同期しているとみなすことが可能であるといえるので、同期したT2フレームの組み合わせを特定することで行われる。
【００６０】
なお、この特定方法であるが、簡単に説明すれば、次のような方法により行われる。すなわち、T2フレームは、P1と呼ばれるプリアンブル(Preamble)信号を有しており、そのプリアンブル信号には、OFDM信号の復調などの処理に必要となる情報が含まれている。T2フレームにはまた、P1に加えてP2と呼ばれるプリアンブル信号が含まれており、このP2には、T2フレームの復調処理に必要な情報の他、P_IやIjumpなどの特定情報が含まれている。
【００６１】
ここで、P_Iとは、１つのインターリービングフレーム（Interleaving frame）当たりのT2フレームの数を示す情報であり、Ijumpとは該当するPLPがT2フレームに挿入される間隔を示す情報である。TTO同期検出部３０は、例えば、これらの特定情報と、PLPのT2フレームに割り当てられていたF_i（Frame Index：フレームインデックス）を用いることで、同期したT2フレームの組み合わせを特定する。
【００６２】
このTTO同期の検出結果は、書き込み制御部３２及び読み出し制御部３４に供給される。また、TTO同期検出部３０により取得されたPLPに関する情報は、書き込み制御部３２に供給される。
【００６３】
バッファ３１は、書き込み制御部３２による書き込み制御にしたがって、誤り訂正部２２から供給されるPLPを順次蓄積する。また、バッファ３１は、読み出し制御部３４による読み出し制御にしたがって、蓄積しているPLPのうち、Common PLPをセレクタ３６に供給し、Data PLPをセレクタ３７に供給する。
【００６４】
書き込み制御部３２は、TTO同期検出部３０から供給されるPLPに関する情報に基づいて、バッファ３１に対する書き込みアドレスの制御を行って、バッファ３１にPLPを蓄積させる。
【００６５】
また、書き込み制御部３２は、TTO同期検出部３０から供給されるTTO同期の検出結果に基づいて、Common PLPとData PLPで同期しているTTOが含まれているTSパケットをバッファ３１に書き込んだときの書き込みアドレス（以下、TTOアドレスという）と、それらのPLPのTTOの差分（以下、H_TTOdiffという）を取得し、読み出し制御部３４に供給する。以下、TTOアドレスと、H_TTOdiffを総称してTTO情報と称する。このTTO情報は、バッファ３１に蓄積されたTSパケットを読み出すに際して、Common PLPとData PLPの同期のずれが生じた場合、そのずれを補正するために必要となる補正情報となる。
【００６６】
読み出しレート演算部３３は、誤り訂正部２２から供給されるPLPに基づいて、１パケット当たりの時間であるパケットレート（以下、Ptsとも記す）とTSレート（以下、RTSとも記す）を演算し、読み出し制御部３４に供給する。読み出しレート演算部３３により行われるPts，RTSの演算処理の詳細については、図１０を参照して後述する。
【００６７】
読み出し制御部３４は、読み出しレート演算部３３から供給されるTSレートに従って、バッファ３１から読み出されたPLPから復元されるTSが出力されるように、バッファ３１に対するアドレス制御を行う。
【００６８】
すなわち、読み出し制御部３４は、TTO同期検出部３０から供給されるTTO同期の検出結果にしたがって、同期しているT2フレームを構成するTSパケットのそれぞれに付加されたTTOを読み出して、それらのTTOの差分（以下、TTOdiffという）を求める。このTTOdiffは、Common PLPとData PLPのTSパケットの読み出しタイミングのずれ量に相当するので、読み出し制御部３４が、このTTOdiffに応じて、TSパケットの読み出しのタイミングをずらすことで、同期したCommon PLPとData PLPのTSパケットが読み出され、PLP合成部３８に供給される。なお、このTTOdiffであるが、書き込み制御部３２がTSパケットの書き込み時に求めて、読み出し制御部３４に供給するようにしてもよい。
【００６９】
また、このとき、TSパケットにDNPが付加されている場合があるので、読み出し制御部３４は、DNPの値に応じたNullパケットがPLP合成部３８に供給されるように、セレクタ３６及びセレクタ３７を制御する。
【００７０】
Nullパケット生成部３５は、読み出し制御部３４による制御にしたがって、Nullパケットを生成し、セレクタ３６及びセレクタ３７に供給する。
【００７１】
読み出し制御部３４は、Common PLPとData PLPとの同期が外れた場合、それらのPLPを再同期させる処理を行う。この再同期処理を行うために、読み出し制御部３４には、TTO情報保持部５１とアドレス補正部５２が設けられている。
【００７２】
TTO情報保持部５１は、書き込み制御部３２から供給されるTTOアドレスとH_TTOdiff、すなわち、TTO情報を保持する。
【００７３】
アドレス補正部５２は、TTO情報保持部５１に保持されているTTO情報に基づいて、同期のずれが発生しているTSパケットについて、バッファ３１の読み出しアドレスを補正する。
【００７４】
この補正の方法であるが、アドレス補正部５２は、バッファ３１に蓄積されたTSパケットを読み出すに際して、一方の読み出しアドレスが一方のTTOアドレスに到達してからH_TTOdiffを経過したときに、他方の読み出しアドレスが他方のTTOアドレスと一致するか否かを判定する。アドレス補正部５２は、他方の読み出しアドレスが他方のTTOアドレスと一致しないとき、同期のずれが発生していると判定し、他方の読み出しアドレスを、他方のTTOアドレスに補正する。
【００７５】
読み出し制御部３４により行われるTSパケットの読み出し制御処理の詳細は、図１２及び図１３を参照して後述する。
【００７６】
セレクタ３６は、読み出し制御部３４からの選択信号に応じて、バッファ３１からのCommon PLPのTSパケット又はNullパケット生成部３５からのNullパケットのうちのいずれか一方を選択する。これにより、Common PLPのTSパケットにDNPが付加されている場合には、そのDNPの値に応じたNullパケットがPLP合成部３８に供給される。同様に、セレクタ３７では、Data PLPのTSパケットとNullパケットのうちの一方が選択され、PLP合成部３８に供給される。
【００７７】
PLP合成部３８には、セレクタ３６から供給されるCommon PLPと、セレクタ３７から供給されるData PLPとが同期して入力される。PLP合成部３８は、それらのPLPを合成して復元されたTSをTSレートにより、デコーダ１４に供給する。
【００７８】
以上のようにして、出力I/F２３は構成される。
【００７９】
［送信装置の処理］
次に、図４ないし図１３を参照して、受信装置１と送信装置２との間で行われる送受信処理の詳細について説明する。ここでは、まず、図４ないし図６を参照して、送信装置２で行われる処理について説明し、その後、図７ないし図１３を参照して、受信装置１で行われる処理について説明する。
【００８０】
なお、この送受信処理の説明では、説明を簡略化するため、送信装置２には、TS1ないしTS4の４個のTSが入力され、それらのTSから生成されるPLPが、誤り訂正やOFDM変調などの処理が施された後、受信装置１に送信されるものとする。
【００８１】
図４に示すように、TS1ないしTS4に対応した５個の四角はパケットを表しており、本実施の形態では、これらのTSを構成するTSパケットは、それぞれ、TSパケット、Nullパケット、及び共通パケットの３種類のパケットに分類される。
【００８２】
ここで、TSパケットは、例えばMPEGエンコードデータなどの各サービス（図中のサービス１ないし４）を提供するためのデータを格納したパケットである。また、Nullパケットは、送信側において送信するデータがないときに、送信側から出力される情報量を一定に保つ目的で伝送される調整用のデータである。例えば、MPEGで規定されているNullパケットは、TSパケットの先頭の4バイトが、0x47,0x1F,0xFF,0x1Fになっているパケットであり、ペイロードのビットとしては、例えば、すべて、1が採用される。
【００８３】
共通パケットは、複数のTSにおいて、格納されているデータが共通となるパケットである。例えば、MPEGの場合には、先述したSDT，EIT等の制御情報などが、この共通パケットに該当する。
【００８４】
すなわち、図４の例では、TS1ないしTS4のそれぞれを構成する５個のパケットのうちの図中左から３番目のパケットが共通パケットとなる。この共通パケットは、同じ情報を含んでいるので、図５に示すように、Common PLPとして抜き出すことになる。
【００８５】
具体的には、図４のTS1ないしTS4において、各TSで共通となる共通パケットが存在する場合、図５に示すように、その共通パケットがCommon PLPとして抜き出され、抜き出された共通パケットは、Nullパケットに置き換えられる。そして、共通パケットが抜き出された各TSは、Data PLPと呼ばれる系列、すなわち、Data PLP1ないしData PLP4となる。
【００８６】
また、送信装置２がNullパケットディレーション（Null Packet Deletion）と呼ばれるモードで動作している場合、Nullパケットは、1バイトのDNPと呼ばれる信号（signaling）になって伝送されることになる。
【００８７】
例えば、図５のData PLP1では、図中左から２番目と３番目のパケットがNullパケットとなっており、Nullパケットが２つ連続した場合には、図６に示すように、2である値を持った1バイトの信号に置き換えられる。つまり、DNPの値はNullパケットの連続数に対応しており、例えば、図５のData PLP3では、図中左から３番目と５番目のパケットが単独でNullパケットとなっているので、図６に示すように、それぞれ、1である値を持った1バイトの信号に置換される。
【００８８】
このようにして、Nullパケットを1バイトのDNPに置換すると、図５のData PLP1ないしData PLP4，Common PLPは、それぞれ、図６に示すような状態となる。これにより、送信装置２において、Data PLP1ないしData PLP4，Common PLPが生成されたことになる。
【００８９】
以上のように、送信装置２においては、４個のTSから、４個のData PLPと１個のCommon PLPが生成され、それらの信号に対して、誤り訂正やOFDM変調などの所定の処理が施され、それにより得られたOFDM信号が、所定の伝送路を介して受信装置１に送信される。
【００９０】
［受信装置の処理］
次に、図７ないし図１３を参照して、受信装置１の処理について説明する。
【００９１】
なお、先述したように、受信装置１で受信されるOFDM信号は、送信装置２の処理に合わせて、図６のData PLP1ないしData PLP4，Common PLPに対して誤り訂正やOFDM変調などの処理が施されているものとする。
【００９２】
受信装置１においては、送信装置２から所定の伝送路を介して送信されてくるOFDM信号が受信され、復調部２１によって、OFDM復調などの所定の処理が施されることにより、図６のData PLP1ないしData PLP4，Common PLPに対応する、図７のData PLP1ないしData PLP4，Common PLPが取得される。そして、例えば、ユーザ操作によりサービス２が選択された場合、Data PLP1ないしData PLP4のうちのData PLP2が取り出され、取り出されたData PLP2とCommon PLPは、誤り訂正部２２によって誤り訂正などの所定の処理が施され、出力I/F２３に入力される。
【００９３】
すなわち、出力I/F２３には、図７の太枠で囲まれたData PLP2と、Data PLP2に対応するCommon PLPのみが入力されることになる。そして、出力I/F２３は、図８に示すように、入力されたData PLP2，Common PLPについて、Data PLP2に配置されたNullパケットを、対応するCommon PLPに配置された共通パケットに置き換える。これにより、図８に示すように、図４のTS2と同様の元のTS2が復元されることになる。
【００９４】
図９は、出力I/F２３に入力される所望のData PLP（Data PLP2），Common PLPと、出力I/F２３から出力されるTSの詳細について説明するための図である。
【００９５】
図９に示すように、出力I/F２３に入力されるData PLPとCommon PLPには、DNPと、ISSY（ISCR，BUFS，TTOなどの情報）と呼ばれる情報がTSパケット単位で付加されていることは先に述べたとおりである。
【００９６】
出力I/F２３は、PLPから得られるこれらの情報を用いて、Data PLPとCommon PLPから同期した２パケットの組み合わせを検出し、Data PLPとCommon PLPとのタイミングを合わせて同期をとることになる。
【００９７】
具体的には、出力I/F２３において、読み出しレート演算部３３は、Data PLPに付加されたDNPを用いて、Data PLPを元のパケット系列に復元し、TSパケットに付加されたISCRを読み取ることで、下記の式（１）により、TSを出力するレート（TSレート）を求めることができる。
【００９８】
【数１】
0005476997.tif 000002
【００９９】
なお、式（１）において、N_bitsは、1パケット当たりのビット数であり、例えば、1504（bit/packet）が代入される。また、Tは、エレメンタリーピリオド（Elementary Period）の単位であって、例えば、8MHz帯域であれば7/64usといった値が代入される。
【０１００】
図１０は、読み出しレート演算部３３で実行されるTSレートの演算例を説明する図である。なお、図１０において、下方の矢印で示すように、時間の方向は図中左から右に向かう方向とされている。
【０１０１】
読み出しレート演算部３３には、図１０ａに示すように、Data PLPとして、TSパケットと、各TSパケットに付加されたDNP及びISCRが入力される。この例の場合には、図中右から１個目のTSパケットに付加されたDNPが3を示し、ISCRが3000［T］を示している。同様にして、２個目のTSパケットのDNPは0、ISCRは1000［T］を示し、３個目のTSパケットのDNPは2、ISCRは500［T］を示している。
【０１０２】
これらのDNPを用いて、Nullパケットを元の状態に戻すと、図１０ａのData PLPは、図１０ｂに示すようになる。すなわち、１番目のTSパケットの後に３個のNullパケット（図中の“NP”）が配置され、２，３番目のTSパケットが続いた後、さらに２個のNullパケットが配置されることになる。
【０１０３】
ここで、１パケット当たりの時間であるパケットレート（Packet rate）をPtsとすれば、このPtsは下記の式（２）のようにして求められる。
【０１０４】
【数２】
0005476997.tif 000003
【０１０５】
したがって、この例の場合には、Pts＝（ISCR_b−ISCR_a）／（N_packets＋ΣDNP）＝（3000［T］−500［T］）／5［packet］＝500［T/packet］となる。
【０１０６】
そして、TSレート（TS rate）をRTSとすれば、このRTSは、式（１）と、上記のPtsから次のようにして求められる。
【０１０７】
RTS＝N_bits／Pts×T＝1504［bit/packet］／500［T/packet］×（7/64［us］）＝27.5［Mbps］
【０１０８】
このようにして演算されたPts（＝500［T/packet］）とRTS（＝27.5［Mbps］）は、読み出し制御部３４に供給される。
【０１０９】
次に、図１１を参照して、バッファ３１に対する書き込み制御部３２及び読み出し制御部３４の動作の詳細について説明する。
【０１１０】
図１１は、バッファ３１に対する書き込みと読み出しのタイミングを説明するための図
である。
【０１１１】
図１１の例では、バッファ３１にPLPが順次蓄積される様子を模式的に図示している。この模式図では、図中上側の領域に、Common PLPが図中上から下に向かって順に蓄積され、図中下側の領域に、Data PLPが図中下から上に向かって順に蓄積される様子を表している。
【０１１２】
すなわち、図１１の例では、書き込み制御部３２の制御にしたがって、出力I/F２３に入力されたCommon PLPがバッファ３１に順次格納されることにより、図中に例示している５個の共通パケット（TSパケット）が、付加されているISSY及びDNPとともに、図中上側の所定の領域に格納される。これらの共通パケットに付加されているISSY及びDNPであるが、この例では、先頭の共通パケットには、TTO=92000［T］とDNP=1、２番目の共通パケットには、BUFSとDNP=2が配置されている。また、３番目ないし５番目の共通パケットには、ISCRとともに、それぞれ、DNP=3，0，1が配置されている。
【０１１３】
一方、入力されたData PLPは、書き込み制御部３２の制御にしたがって、バッファ３１に順次格納されることにより、図中に例示している５個のTSパケットが、付加されているISSY及びDNPとともに、図中下側の所定の領域に格納される。これらのTSパケットに付加されているISSY及びDNPであるが、この例では、先頭のTSパケットには、TTO=90000［T］とDNP=0、２番目の共通パケットには、BUFSとDNP=2が配置されている。また、３番目ないし５番目のTSパケットには、ISCRとともに、それぞれ、DNP=1，0，1が配置されている。なお、図１１の例では、BUFS，ISCRについては、具体的な値は記述していないが、実際には、これらのISSYについてもTTOと同様に所定の値が割り当てられている。
【０１１４】
以上のようにして、Common PLP，Data PLPが、バッファ３１に格納される。そして、バッファ３１に格納されたCommon PLP，Data PLPは、読み出し制御部３４の制御にしたがって読み出されることになる。図１１の例の場合、Data PLPの先頭のTSパケットは、TTOの値を用いて、P1シンボルの先頭から90000［T］後に読み出され、Common PLPの先頭の共通パケットは、P1シンボルの先頭から92000［T］後、つまり、Data PLPの先頭のTSパケットが読み出されてから、2000［T］だけ経過した後に読み出される。
【０１１５】
すなわち、読み出し制御部３４は、バッファ３１からCommon PLP，Data PLPの両方を読み出しながら、TTOdiffを用いて、Common PLP，Data PLPの出力タイミングを合わせる。そして、読み出し制御部３４は、読み出したPLPについて、読み出しタイミングが同期したCommon PLPとData PLPとの組み合わせが検出された場合には、Data PLPに配置されたNullパケットを、Common PLPの共通パケットに置き換えることで、元のTSが復元されることになる。
【０１１６】
以上のようにして、パケットの読み出しのタイミングを示しているTTO（TTOdiff）を用いた同期（TTO同期）が行われ、TSが復元されるが、受信チャネル環境などが要因となり誤った信号が送信された場合、Common PLPとData PLPの同期が外れてしまい、再同期を要することは先に述べたとおりである。そこで、このような同期のずれから復帰させるための手段（図３のTTO情報保持部５１及びアドレス補正部５２）について図１２及び図１３を参照して説明する。
【０１１７】
図１２は、TSパケット書き込み時におけるTTO情報の保持について説明する図である。
【０１１８】
図１２では、図１１と同様に、バッファ３１にPLPが順次蓄積される様子を模式的に図示している。図１２の例では、バッファ３１には、図中上側の領域に示すように、Common PLPのTSパケットとして、・・・,TS38,TS39,TS40,TS41,TS42,・・・が、付加されているISSY及びDNPとともに、所定の領域に格納されている。また同様にして、図中下側の領域に示すように、・・・,TS38,TS39,TS40,TS41,TS42,・・・が、Data PLPのTSパケットとして、所定の領域に格納されている。
【０１１９】
また、これらのTSパケットを格納するに際して、先に述べたTTOアドレスとH_TTOdiffがTTO情報保持部５１に保持される。
【０１２０】
図１２の例では、バッファ３１に蓄積されたCommon PLPのTSパケットのうち、TTOが付加されたTS40の書き込みアドレスである24000［ad］と、Data PLPのTSパケットのうち、TTOが付加されたTS40の書き込みアドレスである10000［ad］が、TTOアドレスとして保持される。また、それらのPLPのTSパケットに付加されたTTOの差分として、H_TTOdiff＝93000［T］−91500［T］＝1500［T］が求められる。
【０１２１】
ここで、H_TTOdiffは、例えば、TTOが付加されたCommon PLPとData PLPが時間的に何パケットずれるかを表したものとすることができる。例えば、１パケット当たりの時間であるパケットレートPtsが500［T/packet］の場合、H_TTOdiff＝1500［T］／500［T/packet］＝3［packet］となる。すなわち、Data PLPのTSパケット（10000［ad］）から、３パケット遅れて、Common PLPのTSパケット（24000［ad］）が読み出される予定となる。
【０１２２】
このように、TTO情報として、Common PLPのTTOアドレス＝24000［ad］及びData PLPのTTOアドレス＝10000［ad］とともに、H_TTOdiff＝3［packet］がTTO情報保持部５１に保持される。
【０１２３】
図１３は、TSパケット読み出し時におけるTTO情報を用いたアドレスの補正について説明する図である。なお、図１３においては、時間の方向は図中左から右に向かう方向とされている。
【０１２４】
図１３に示すように、バッファ３１に蓄積されたData PLPのTSパケットの読み出しが開始されると、読み出しアドレス＝10000［ad］、すなわち、TS40の読み出しアドレスとなったとき、Data PLPのTTOアドレス＝10000［ad］と一致することになる。この場合、図１２で説明したように、そのData PLPのTTOアドレス＝10000［ad］から３パケット（H_TTOdiff＝3［packet］）進んだときに、Common PLPのTTOアドレス＝24000［ad］、すなわち、Common PLPのTS40を格納した読み出しアドレスが読み出されるはずである。
【０１２５】
しかし、図１３に示すように、TTO同期が外れてしまっている場合には、Data PLPの読み出しアドレスが、TTOアドレス＝10000［ad］から３パケット進んでも、Common PLPの読み出しアドレスは、TTOアドレス＝24000［ad］とはならない。図１３の例の場合、Common PLPのTTOアドレス＝24000［ad］、すなわち、TS40のアドレスが91000［T］において、予定よりもはやく読み出されている。
【０１２６】
この場合、アドレス補正部５２は、図１３に示すように、Data PLPのTTOアドレス（10000［ad］）が読み出されてから、３パケット後に読み出されるCommon PLPのTS41の代わりに、Common PLPのTTOアドレス（24000［ad］）を読み出すようにアドレスを補正して、いわば巻き戻すようにして強制的にTS40が読み出されるようにする。
【０１２７】
これにより、Data TTOアドレス（10000［ad］）が読み出されてから３パケット後にCommon TTOアドレス（24000［ad］）が再度読み出されたことになり、アドレスを差し替えて読み出したTSパケット以降、TTO同期を復帰させることが可能となる。
【０１２８】
このように、TSパケットの書き込み時において、TSパケットに付加されるTTOから得られるTTO情報を保持し、TSパケットの読み出し時において、TTO同期がずれている場合には、保持していたTTO情報を用いて、正しい読み出しアドレスに補正し、再同期が行われる。
【０１２９】
すなわち、TSパケットに付加されるTTOは、基本的にT2フレームの先頭にのみ配置されるものであって、ISSYとして含まれる割合は高くはないが、読み出しアドレスを補正して再同期を行う場合に、このTTOを用いることで、大きく読み出しアドレスが進んでいたり、あるいは大きく読み出しアドレスが遅れていたりしても、単に、読み出しのアドレスを差し替えるだけで、直ちに、同期のずれていない正しい読み出しアドレスに補正され、結果として迅速に再同期を行うことができる。
【０１３０】
［再同期処理の説明］
次に、図１４のフローチャートを参照して、書き込み制御部３２及び読み出し制御部３４により実行される再同期処理について説明する。
【０１３１】
なお、図１４の説明において、「一方のPLP」と「他方のPLP」及び「一方のTTOアドレス」と「他方のTTOアドレス」という表現を用いるが、Common PLPとData PLPのどちらのPLP、TTOアドレスでもよいことを意図するものである。
【０１３２】
すなわち、Common PLPが「一方のPLP」である場合には、Data PLPが「他方のPLP」となる。この場合、「一方のTTOアドレス」は、一方のPLPであるCommon PLPのTTOアドレスとなり、「他方のTTOアドレス」は、他方のPLPであるData PLPのTTOアドレスとなる。それに対して、Data PLPが「一方のPLP」である場合には、Common PLPが「他方のPLP」となる。この場合、「一方のTTOアドレス」は、一方のPLPであるData PLPのTTOアドレスとなり、「他方のTTOアドレス」は、他方のPLPであるCommon PLPのTTOアドレスとなる。
【０１３３】
バッファ３１には、書き込み制御部３２による書き込み制御にしたがって、誤り訂正部２２から供給されるPLPが蓄積されている。ステップＳ１１において、書き込み制御部３２は、TSパケットをバッファ３１に書き込むに際し、TTO同期しているCommon PLPとData PLPの組み合わせについての、TTOアドレスとH_TTOdiffを取得する。
【０１３４】
ステップＳ１２において、TTO情報保持部５１は、書き込み制御部３２により取得されたTTOアドレスとH_TTOdiff（TTO情報）を保持する。
【０１３５】
ステップＳ１３において、アドレス補正部５２は、一方のPLPの読み出しアドレスが、TTO情報保持部５１に保持している一方のTTOアドレスに到達したか否かを判定する。
【０１３６】
ステップＳ１３において、それらのアドレスが一致して、一方のPLPの読み出しアドレスが、一方のTTOアドレスに到達したと判定された場合、ステップＳ１４において、アドレス補正部５２は、読み出したパケットの数のカウントを開始する。
【０１３７】
アドレス補正部５２は、読み出したパケット数が、TTO情報保持部５１に保持しているH_TTOdiffに到達するまで（ステップＳ１５の「Yes」）、TSパケットの読み出しを継続し、読み出したパケット数を順次カウントアップする（ステップＳ１４の処理）。
【０１３８】
そして、読み出したパケット数がH_TTOdiffと一致したとき（ステップＳ１５の「Yes」）、アドレス補正部５２は、ステップＳ１６において、他方のPLPの読み出しアドレスと、TTO情報保持部５１に保持している他方のTTOアドレスとを比較し、ステップＳ１７において、それらのアドレスが一致するか否かを判定する。
【０１３９】
ステップＳ１７において、他方のPLPの読み出しアドレスと他方のTTOアドレスが一致しないと判定された場合、ステップＳ１８において、アドレス補正部５２は、他方のPLPの読み出しアドレスを、他方のTTOアドレスに差し替え、読み出しアドレスを補正する。そして、読み出し制御部３４は、ステップＳ１９において、TTOアドレスに差し替えられた読み出しアドレスに従って、バッファ３１に蓄積された他方のPLPのTSパケットを読み出す。
【０１４０】
一方、ステップＳ１７において、他方のPLPの読み出しアドレスと他方のTTOアドレスが一致すると判定された場合、PLPのTTOを読み出すタイミングがずれていない（TTO同期している）ので、ステップＳ１８をスキップし、処理は、ステップＳ１９に進む。この場合、読み出し制御部３４は、ステップＳ１９において、TTOアドレスに差し替えていない読み出しアドレスに従って、バッファ３１に蓄積された他方のPLPのTSパケットを読み出すことになる。
【０１４１】
そして、読み出しアドレスに従ったTSパケットの読み出しを行った後（ステップＳ１９）、データの入力が完了していない場合には（ステップＳ２０の「No」）、処理は、ステップＳ１１に戻り、先に述べた処理が繰り返される。
【０１４２】
一方、ステップＳ２０において、バッファ３１へのデータの入力が終了したと判定された場合、図１４の再同期処理は終了する。
【０１４３】
以上のように、読み出し制御部３４においては、TTO情報保持部５１によって、TTOアドレスとH_TTOdiffのTTO情報が保持され、アドレス補正部５２によって、一方のPLPの読み出しアドレスとTTOアドレスが一致してから、H_TTOdiff経過後の他方のPLPの読み出しアドレスとTTOアドレスが一致しない場合、他方のPLPの読み出しアドレスをTTOアドレスに差し替える補正がされる。これにより、TSパケットの読み出しタイミングがCommon PLPとData PLPでずれた場合であっても、両者のタイミングを正しいタイミングに戻して、迅速に再同期をすることができる。
【０１４４】
［受信システムの構成例］
次に、図１５ないし図１７を参照して、受信システムの構成について説明する。
【０１４５】
図１５は、本発明を適用した受信システムの第１実施の形態の構成例を示す図である。
【０１４６】
図１５において、受信システムは、取得部２０１、伝送路復号処理部２０２、及び情報源復号処理部２０３から構成される。
【０１４７】
取得部２０１は、例えば、地上デジタル放送、衛星デジタル放送、CATV（Cable Television)網、インターネットその他のネットワーク等の、図示せぬ伝送路を介して、DVB-T2のM-PLP方式によるOFDM信号を取得し、伝送路復号処理部２０２に供給する。
【０１４８】
OFDM信号が、例えば、放送局から、地上波や、衛星波、CATV網等を介して放送されてくる場合には、取得部２０１は、図２の取得部１２と同様に、チューナやSTB等で構成される。また、OFDM信号が、例えば、WEBサーバから、IPTV(Internet Protocol Television)のようにマルチキャストで送信されてくる場合には、取得部２０１は、例えば、NIC(Network Interface Card)等のネットワークI/Fで構成される。
【０１４９】
OFDM信号が、例えば、放送局から、地上波や、衛星波、CATV網等を介して放送されてくる場合には、例えば、複数の送信装置からの複数の伝送路を介したOFDM信号が、１つの取得部２０１において受信されることで、結果的に合成された１つのOFDM信号として受信される。
【０１５０】
伝送路復号処理部２０２は、取得部２０１が伝送路を介して取得したOFDM信号に対して、PLPを復号する処理を少なくとも含む伝送路復号処理を施し、その結果得られる信号を、情報源復号処理部２０３に供給する。
【０１５１】
すなわち、M-PLP方式によるOFDM信号は、複数のTSそれぞれから、すべてのTSに共通のパケットを抽出した残りのパケットから構成される複数のData PLPと、共通のパケットから構成されるCommon PLPにより規定されたものとなるので、伝送路復号処理部２０２は、そのようなOFDM信号に対して、例えば、PLP（パケット系列）を復号する処理を施して、出力する。
【０１５２】
また、取得部２０１が伝送路を介して取得したOFDM信号は、伝送路特性の影響を受けて歪んだ状態で得られたOFDM信号であり、伝送路復号処理部２０２は、そのような信号に対して、例えば、伝送路推定やチャネル推定、位相推定等の復調処理を施す。
【０１５３】
さらに、伝送路復号処理には、伝送路で生じる誤りを訂正する処理等が含まれる。例えば、誤り訂正符号化としては、例えば、LDPC符号化や、リードソロモン符号化等がある。
【０１５４】
情報源復号処理部２０３は、伝送路復号処理が施された信号に対して、圧縮された情報を元の情報に伸張する処理を少なくとも含む情報源復号処理を施す。
【０１５５】
すなわち、取得部２０１が伝送路を介して取得したOFDM信号には、情報としての画像や音声等のデータ量を少なくするために、情報を圧縮する圧縮符号化が施されていることがある。この場合、情報源復号処理部２０３は、伝送路復号処理が施された信号に対して、圧縮された情報を元の情報に伸張する処理(伸張処理）等の情報源復号処理を施す。
【０１５６】
なお、取得部２０１が伝送路を介して取得したOFDM信号に、圧縮符号化が施されていない場合には、情報源復号処理部２０３では、圧縮された情報を元の情報に伸張する処理は行われない。
【０１５７】
ここで、伸張処理としては、例えば、MPEGデコード等がある。また、伝送路復号処理には、伸張処理の他、デスクランブル等が含まれることがある。
【０１５８】
以上のように構成される受信システムでは、取得部２０１において、例えば、画像や音声等のデータに対して、MPEG符号化等の圧縮符号化が施され、さらに、誤り訂正符号化が施されたM-PLP方式によるOFDM信号が、伝送路を介して取得され、伝送路復号処理部２０２に供給される。なお、このとき、OFDM信号は、伝送路特性の影響を受けて歪んだ状態で取得される。
【０１５９】
伝送路復号処理部２０２では、取得部２０１からのOFDM信号に対して、図２の伝送路復号処理部１３と同様の処理が、伝送路復号処理として施され、その結果得られる信号が、情報源復号処理部２０３に供給される。
【０１６０】
情報源復号処理部２０３では、伝送路復号処理部２０２からの信号に対して、図２のデコーダ１４と同様の処理が、情報源復号処理として施され、その結果得られる画像、又は音声が出力される。
【０１６１】
以上のような図１５の受信システムは、例えば、デジタル放送としてのテレビジョン放送を受信するテレビチューナ等に適用することができる。
【０１６２】
なお、取得部２０１、伝送路復号処理部２０２、及び、情報源復号処理部２０３は、それぞれ、１つの独立した装置（ハードウェア（IC(Integrated Circuit)等））、又はソフトウェアモジュール）として構成することが可能である。
【０１６３】
また、取得部２０１、伝送路復号処理部２０２、及び情報源復号処理部２０３については、取得部２０１と伝送路復号処理部２０２とのセットや、伝送路復号処理部２０２と情報源復号処理部２０３とのセット、取得部２０１、伝送路復号処理部２０２、及び情報源復号処理部２０３のセットを、１つの独立した装置として構成することが可能である。
【０１６４】
図１６は、本発明を適用した受信システムの第２実施の形態の構成例を示す図である。
【０１６５】
なお、図中、図１５の場合と対応する部分については、同一の符号を付してあり、以下では、その説明は、適宜省略する。
【０１６６】
図１６の受信システムは、取得部２０１、伝送路復号処理部２０２、及び、情報源復号処理部２０３を有する点で、図１５の場合と共通し、出力部２１１が新たに設けられている点で、図１５の場合と相違する。
【０１６７】
出力部２１１は、例えば、画像を表示する表示装置や、音声を出力するスピーカであり、情報源復号処理部２０３から出力される信号としての画像や音声等を出力する。すなわち、出力部２１１は、画像を表示し、あるいは、音声を出力する。
【０１６８】
以上のような図１６の受信システムは、例えば、デジタル放送としてのテレビジョン放送を受信するTVや、ラジオ放送を受信するラジオ受信機等に適用することができる。
【０１６９】
なお、取得部２０１において取得されたOFDM信号に、圧縮符号化が施されていない場合には、伝送路復号処理部２０２が出力する信号が、出力部２１１に供給される。
【０１７０】
図１７は、本発明を適用した受信システムの第３実施の形態の構成例を示す図である。
【０１７１】
なお、図中、図１５の場合と対応する部分については、同一の符号を付してあり、以下では、その説明は、適宜省略する。
【０１７２】
図１７の受信システムは、取得部２０１、及び、伝送路復号処理部２０２を有する点で、図１５の場合と共通する。
【０１７３】
ただし、図１７の受信システムは、情報源復号処理部２０３が設けられておらず、記録部２２１が新たに設けられている点で、図１５の場合と相違する。
【０１７４】
記録部２２１は、伝送路復号処理部２０２が出力する信号（例えば、MPEGのTSのTSパケット）を、光ディスクや、ハードディスク（磁気ディスク）、フラッシュメモリ等の記録（記憶）媒体に記録する（記憶させる）。
【０１７５】
以上のような図１７の受信システムは、テレビジョン放送を録画するレコーダ等に適用することができる。
【０１７６】
なお、図１７において、受信システムは、情報源復号処理部２０３を設けて構成し、情報源復号処理部２０３で、情報源復号処理が施された後の信号、すなわち、デコードによって得られる画像や音声を、記録部２２１で記録することができる。
【０１７７】
［本発明を適用したコンピュータの説明］
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な汎用のパーソナルコンピュータなどが含まれる。
【０１７８】
図１８は、上述した一連の処理をプログラムにより実行するコンピュータのハードウェアの構成例を示す図である。
【０１７９】
コンピュータにおいて、CPU(Central Processing Unit)４０１、ROM(Read Only Memory)４０２、RAM(Random Access Memory)４０３は、バス４０４により相互に接続されている。
【０１８０】
バス４０４には、さらに、入出力インターフェース４０５が接続されている。入出力インターフェース４０５には、入力部４０６、出力部４０７、記憶部４０８、通信部４０９、及びドライブ４１０が接続されている。
【０１８１】
入力部４０６は、キーボード、マウス、マイクロフォンなどよりなる。出力部４０７は、ディスプレイ、スピーカなどよりなる。記憶部４０８は、ハードディスクや不揮発性のメモリなどよりなる。通信部４０９は、ネットワークインターフェースなどよりなる。ドライブ４１０は、磁気ディスク、光ディスク、光磁気ディスク、又は半導体メモリなどのリムーバブルメディア４１１を駆動する。
【０１８２】
以上のように構成されるコンピュータでは、CPU４０１が、例えば、記憶部４０８に記憶されているプログラムを入出力インターフェース４０５及びバス４０４を介してRAM４０３にロードして実行することにより、上述した一連の処理が行われる。
【０１８３】
コンピュータ（CPU４０１）が実行するプログラムは、例えば、パッケージメディア等としてのリムーバブルメディア４１１に記録して提供することができる。また、プログラムは、ローカルエリアネットワーク、インターネット、デジタル放送といった、有線又は無線の伝送媒体を介して提供することができる。
【０１８４】
コンピュータでは、プログラムは、リムーバブルメディア４１１をドライブ４１０に装着することにより、入出力インターフェース４０５を介して、記憶部４０８にインストールすることができる。また、プログラムは、有線又は無線の伝送媒体を介して、通信部４０９で受信し、記憶部４０８にインストールすることができる。その他、プログラムは、ROM４０２や記憶部４０８に、あらかじめインストールしておくことができる。
【０１８５】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１８６】
また、本明細書において、システムとは、複数の装置により構成される装置全体を表すものである。
【０１８７】
さらに、本発明の実施の形態は、上述した実施の形態に限定されるものではなく、本発明の要旨を逸脱しない範囲において種々の変更が可能である。
【符号の説明】
【０１８８】
１  受信装置，  １１  アンテナ，  １２  取得部，  １３  伝送路復号処理部，  １４  デコーダ，  １５  出力部，  ２１  復調部，  ２２  誤り訂正部，  ２３  出力I/F，  ３０  TTO同期検出部，  ３１  バッファ，  ３２  書き込み制御部，  ３３  読み出しレート演算部，  ３４  読み出し制御部，  ３５  Nullパケット生成部，  ３６  セレクタ，  ３７  セレクタ，  ３８  PLP合成部，  ５１  TTO情報保持部，  ５２  アドレス補正部，  ２０１  取得部，  ２０２  伝送路復号処理部，  ２０３  情報源復号処理部，  ２１１  出力部，  ２２１  記録部
【図１】
0005476997.tif 000004
【図２】
0005476997.tif 000005
【図３】
0005476997.tif 000006
【図４】
0005476997.tif 000007
【図５】
0005476997.tif 000008
【図６】
0005476997.tif 000009
【図７】
0005476997.tif 000010
【図８】
0005476997.tif 000011
【図９】
0005476997.tif 000012
【図１０】
0005476997.tif 000013
【図１１】
0005476997.tif 000014
【図１２】
0005476997.tif 000015
【図１３】
0005476997.tif 000016
【図１４】
0005476997.tif 000017
【図１５】
0005476997.tif 000018
【図１６】
0005476997.tif 000019
【図１７】
0005476997.tif 000020
【図１８】
0005476997.tif 000021